(57)【要約】  本発明は、ユーザに適切な化粧製品を決定する方法に関する。ユーザに適切な化粧製品の決定及び選択が促進されるために、方法は、ユーザの化粧品プロフィールを表す第１データをメモリ要素に記憶するステップと、化粧製品の化粧品プロフィールを表す第２データを、化粧製品に割当てられているインテリジェントラベルに記憶するステップと、インテリジェントラベルからメモリ要素に第２データを送るステップと、第１データと第２データとの比較のステップと、第１データと第２データとが互いに少なくとも部分的に一致する場合、ユーザに適切な化粧製品として化粧製品を決定するステップとを含む。
2010517608.tif 000002
【特許請求の範囲】
【請求項１】
ユーザに適切な化粧製品（２）を決定するための方法であって、
前記ユーザの化粧品プロフィールを表す第１データをメモリ要素（３）に記憶するステップと、
前記化粧製品（２）の化粧品プロフィールを表す第２データを、前記化粧製品（２）に割当てられているインテリジェントラベル（１）に記憶するステップと、
前記インテリジェントラベル（１）から前記メモリ要素（３）に前記第２データを送るステップと、
前記第一データと前記第２データを比較するステップと、
前記第１データと前記第２データが互いに少なくとも部分的に一致するとき、前記ユーザに適切な化粧製品（２）として前記化粧製品（２）を決定するステップと、
を含むことを特徴とする方法。
【請求項２】
請求項１に記載の方法において、
前記ユーザの少なくとも一つの体の特性、具体的には髪及び／又は肌に基づいて、及び／又は、前記ユーザに適切な化粧製品及び／又は前記ユーザが特に好む化粧製品の特色を示す少なくとも一つの詳細に基づいて、前記ユーザの前記化粧品プロフィールを決定するステップをさらに含むことを特徴とする方法。
【請求項３】
請求項１乃至２のいずれか一つに記載の方法において、前記インテリジェントラベル（１）は応答装置、具体的にはＲＦＩＤ応答装置であることを特徴とする方法。
【請求項４】
請求項１乃至３のいずれか一つに記載の方法において、前記メモリ要素（３）は、前記インテリジェントラベル（１）のための読み取りユニット（９）、具体的にはＲＦＩＤ読み取りユニット（９）を有することを特徴とする方法。
【請求項５】
請求項１乃至４のいずれか一つに記載の方法において、
前記ユーザの体の特性、具体的には髪及び／又は肌のための前記化粧製品（２）の少なくとも一つの適合性に基づいて、及び／又は、装飾用化粧品の特性を示す少なくとも一つの詳細、具体的には色及びタイプに基づいて、前記化粧製品（２）の前記化粧品プロフィールを決定するステップをさらに含むことを特徴とする方法。
【請求項６】
請求項１乃至５のいずれか一つに記載の方法において、前記インテリジェントラベル（１）は、前記化粧製品（２）及び／又は製品棚（４）特に前記化粧製品（２）を並べている製品棚（４）に配置されていることを特徴とする方法。
【請求項７】
請求項１乃至６のいずれか一つに記載の方法において、前記インテリジェントラベル（１）は、前記メモリ要素（３）の応答信号に応じて、前記第２データを前記メモリ要素（３）に送ることを特徴とする方法。
【請求項８】
請求項１乃至７のいずれか一つに記載の方法において、
前記化粧製品（２）が前記ユーザに適切な化粧製品（２）として決定されるか否かについての情報、及び／又は、前記第１データ及び前記第２データが互いに少なくとも部分的に一致するか否かについての情報を表示するステップをさらに含むことを特徴とする方法。
【請求項９】
ユーザに適切な化粧製品（２）を決定するためのシステムであって、
前記ユーザの化粧品プロフィールを表す第１データを記憶するためのメモリ要素（３）と、
前記化粧製品（２）の化粧品プロフィールを表す第２データを記憶するためのインテリジェントラベル（１）であって、前記化粧製品（２）に割当てられているインテリジェントラベル（１）と、
を備え、
前記インテリジェントラベル（１）は、前記メモリ要素（３）に前記第２データを送るよう構成されており、
前記第一データと前記第２データを比較するよう、さらに、前記第１データと前記第２データが互いに少なくとも部分的に一致する場合、前記ユーザに適切な化粧製品（２）として前記化粧製品（２）を決定するよう構成されていることを特徴とするシステム。
【請求項１０】
ユーザの化粧品プロフィールを表す第１データを記憶するためのメモリ要素（３）であって、そのメモリ要素（３）は、
化粧製品（２）の化粧品プロフィールを表す第２データを、その化粧製品（２）に割当てられているインテリジェントラベル（１）から受け、
前記第１データと前記第２データを比較し、
前記第１データと前記第２データが互いに少なくとも部分的に一致する場合、前記ユーザに適切な化粧製品（２）として前記化粧製品（２）を決定するよう構成されていることを特徴とするメモリ要素。
【請求項１１】
化粧製品（２）に割当てられており、そして、その化粧製品（２）の化粧品プロフィールを表す第２データを記憶するためのインテリジェントラベル（１）であって、そのインテリジェントラベル（１）は、
ユーザの化粧品プロフィールを表す第１データと前記第２データが互いに少なくとも部分的に一致する場合、そのユーザに適切な化粧製品（２）として前記化粧製品（２）を決定するよう構成されているメモリ要素（３）に前記第２データを送るよう構成されていることを特徴とするインテリジェントラベル。
【請求項１２】
請求項１１に記載のインテリジェントラベル（１）を少なくとも一つ有する化粧製品（２）。
【発明の詳細な説明】
【技術分野】
【０００１】
本発明は、ユーザに適切な化粧製品を決定する方法及びシステムに関する。さらに、そのシステムは、メモリ要素及びインテリジェントラベルを有する。本発明は、さらに、少なくとも一つのインテリジェントラベルを用いた化粧製品に関する。
【背景技術】
【０００２】
化粧品業界は、化粧製品の消費者又はユーザに対して大量の化粧製品を提供する。例えば、化粧製品は、フェイシャルケア製品や、ヘアケア製品、ヘアスタイリング製品、ボディケア製品、サンケア製品、ハンドケア製品、デオドラント製品、ボディクリーニング製品、そして、顔や、目、唇、爪用製品などの装飾用化粧品などである。これら製品カテゴリにおいて、体の異なるニーズ及び特性、そして、ユーザの異なる好みに適用した特別な製品は、ユーザの選択で頻繁に利用することが可能である。よって、例としては、“フェイシャルケア”製品のカテゴリでは、若い人の肌、又は、それ以上である成人の肌向けの特定の製品が存在する。例えば、“ヘアケア”製品のカテゴリでは、シャンプーについての製品グループ、そして、コンディショナーについての製品グループが存在する。その“ヘアケア”製品は、髪の異なる特性に対する特別な適性を有する。その特性は、例えば、染めた髪や、ブロンドヘア、ドライヘアなどについてのものである。“装飾用化粧品”の製品カテゴリでは、例として、マスカラ、アイシャドウ、コールなどの特別な製品を含む目の装飾用化粧品についての製品グループが存在する。その装飾用化粧品は、同様に、異なる色や異なる使用態様をユーザに提供する。異なる使用態様とは、例として、耐水性マスカラや、水溶性マスカラなどである。
【０００３】
製品が大量にあることから、顧客が“正しい”製品を選択することは、困難である。ユーザに適切な化粧製品を選択することは、取得対象の化粧製品の中、さらには、既に取得済みである化粧製品の中の両方から行う可能性がある。大量の異なる製品カテゴリ、大量の製品グループ、そして、特別な特性及びユーザのニーズに適合した大量かつ特別な化粧製品のために、たびたび、選択は容易かつ明確では無いものとなる。したがって、化粧製品の顧客又はユーザによる適切な化粧製品の選択において、顧客又はユーザへの要求は多くなりすぎており、また、顧客又はユーザは、提供されている大量の製品から自身に適切な化粧製品を選択するために大量の時間が必要となる。
【０００４】
問題はまた、適切な化粧製品の選択において、特に年配者が小さいプリントとなりがちな製品説明を読むことは困難であるという事実によっても生じる。
【０００５】
ドイツ国実用新案登録番号２００  １２  ２７３Ｕ１は、購入、計画、そして、全てを揃えるための手持ち型コンピュータに関連する。これにより、従来の手持ち型コンピュータは、ユーザが購入品を計画し、そして整理し、さらに、全てを揃えることを可能にするよう設計される。このタイプの手持ち型コンピュータは、従来の購入リストに取って代わる。言い換えれば、それは、購入しようとしている製品であるか、今まさに購入した製品であるか、そして、既に購入済みである製品であるかについての情報をユーザに提供する。
【０００６】
欧州公開特許１  ５０５  ５３８Ａ２は、商品に添付して利用するインテリジェントラベル（“スマートラベル”）を開示する。そのインテリジェントラベルは、電子回路、製品の特定データを受けるためのメモリ、さらには、データ転送用装置を有する。製品の特定データの例としては、シリアル番号や欧州統一商品番号（ＥＡＮ）コードなどのリファレンスである。そのシリアル番号や欧州統一商品番号コードは、製品データや、製品記号表示、生産者名などのような単純なプレーンテキストデータによって供給されてもよい。スマートラベルはセンサー手段に割当てられ、そして、データ交換用のセンサー手段の励起が効果を発する結果、ラベルが有効となる。そのデータ交換は、ラベル上のターゲットとなる動作の手段によって生じるセンサー手段の応答であり、動作の物理的性質は任意の動作、例えば、指による圧力であるとすることが可能である。
【発明の概要】
【課題を解決するための手段】
【０００７】
本発明の対象は、ユーザのための適切な化粧製品の決定及び選択を促進させることである。
【０００８】
請求項１に記載の方法による本発明に従うことで目的を達成する。本発明による方法は、メモリ要素に第１データを記憶する。第１データは、ユーザの化粧品プロフィールを表す。本発明による方法は、インテリジェントラベルに第２データを記憶するステップを含む。第２データは、化粧製品の化粧品プロフィールを表す。インテリジェントラベルは、化粧製品に割当てられる。さらに、方法は、インテリジェントラベルからメモリ要素に第２データを送信するステップと、第１データと第２データを比較するステップとを含む。第１データ及び第２データが互いに少なくとも部分的に一致する場合、本発明により、化粧製品が、ユーザにとって適切な化粧製品として決定される。
【０００９】
ユーザの化粧品プロフィールは、自身に適切な化粧製品についての体の特性及びニーズを反映する。このプロフィールには、例として、ユーザの髪の毛のタイプ及び／又は肌のタイプについての特性が記憶されている。このタイプについての詳細の例としては、ユーザが特に、乾燥肌や、若者の肌、成人の肌、敏感肌、その他同等な特定の肌であるかを定義することが可能である。
【００１０】
化粧製品の化粧品プロフィールは、化粧製品の利用についての適合性及び場所を定義する。したがって、例としては、乾燥肌用クリームや、若者の肌用クリーム、より成人の肌用クリーム、特に、敏感肌用クリーム、その他同等な特定の肌用クリームであるかどうかが、化粧製品の化粧品プロフィールに記憶される。化学的データや、生物学的データ、物理的データは、化粧製品の化粧品プロフィールに記憶される。したがって、化粧品プロフィールは、化粧製品がどの程度の水分を含むか（“水分コントロール”）、いつ開けられたか（“開封後の期間”、ＰＡＯ）、どれ位の耐久期間を有するか（“維持期日”、ＭＤＤ）、化粧製品の内容がどの程度すでに使用されたか（“充填レベル”）などについての情報を提供する。化粧製品の化粧品プロフィールは、第２データによって表される。その第２データは、インテリジェントラベル（“スマートラベル”また他には“インテリジェントラベル”）に記憶される。
【００１１】
本発明の例としては、インテリジェントラベル及びメモリ要素を利用する。そして、乾燥肌用の適合性が乾燥肌のユーザにおける化粧品プロフィールに記憶されている場合、乾燥肌用の適合性を定義する化粧製品の化粧品プロフィールを有する化粧製品は、ユーザに適切であるとして決定される。化粧製品の耐久期間が過ぎている化粧製品は、ユーザにとって、もはや適切ではないとして決定される。
【００１２】
好ましい実施例において、方法は、さらに、ユーザの少なくとも一つの体の特性、特に髪及び／又は肌に基づいて、及び／又は、少なくとも一つの詳細に基づいて、ユーザの化粧品プロフィールを決定するステップを有する。その詳細は、ユーザに適切な化粧製品及び／又はユーザが特に好む化粧製品の特色を示す。ユーザの体における特性の一例としては、髪及び／又は肌の性質である。例えば、ユーザは、髪を染めたり、ドライヘアであったりする。さらに、化粧品プロフィールは、ユーザに特に適切な装飾用化粧品又はユーザの好みの装飾用化粧品を定義する詳細によって決定されてもよい。必要に応じて、ユーザは、また、例えば、香り、濃度などの製品についてのある特性を加えてもよい。例えば、黒色のマスカラがユーザに特に似合うか、それともユーザが特に好んでいるかを、かかる詳細に定義する。同様に、ユーザが、例えば、特別なマスカラ製品、口紅製品などと併せて、特定のアイシャドウの影を好むか、それとも特定のアイシャドウのタイプを好むかを詳細に定義してもよい。
【００１３】
さらに好ましい実施例において、インテリジェントラベルは、応答装置（transponder）、具体的にはＲＦＩＤ応答装置である。応答装置は、無線通信、ディスプレイ、制御ユニットであり、入力信号を受けて自動的に応答する。そのような応答装置は、アクティブ型又はパッシブ型とすることができる。パッシブ型は、応答装置が読み取りユニット／書き込みユニットの領域からのみの通信及び内部プロセスを処理するために必要なエネルギーを有するか否かに依存する。言い換えると、パッシブ型は、応答装置自体の電源供給を有することなく動作する。アクティブ型システムは、応答装置自体の電源供給をバッテリーの形態などで有する。混合形態であるセミアクティブ型応答装置も、考えられる。本発明によると、望ましくは、ＲＦＩＤシステムは、化粧製品の化粧品プロフィールを記憶し、さらに、受信機ユニットに対してこれらデータの通信を可能にするよう用いられることである。すなわち、本発明によるメモリ要素が用いられる。ＲＦＩＤシステムは、インテリジェントラベルとしての応答装置及び読み取りユニットを備える。読み取りユニットは、本発明によるメモリ要素に配置される。ＲＦＩＤ応答装置は、第２データを記憶する。メモリ要素の読み取りユニットによって、接触及び視認を行うことなく、第２データを読み取ることが可能である。
【００１４】
メモリ要素は、インテリジェントラベル用の読み取りユニット、具体的にはＲＦＩＤ読み取りユニットを有することが望ましい。インテリジェントラベル及びメモリ要素は、この望ましい実施例において、送受信機システムを形成する。
【００１５】
特に望ましい実施例において、方法は、さらに、化粧製品の体の特性についての適合性、特に、ユーザの髪及び／又は肌に、及び／又は、色やタイプなどの少なくとも一つの詳細に基づいて、化粧製品の化粧品プロフィールを決定するステップを有する。その詳細は、装飾用化粧品の特色を示す。化粧製品の適合性の例としては、ドライヘア及び／又は乾燥肌などに関して決定されてもよい。詳細は、装飾用化粧品の色及びタイプが何であるかについての情報を含んでもよい。例として言い換えると、その色及びタイプは、黒色、茶色、青色などの色や、耐水性マスカラ、水溶性マスカラなどである。
【００１６】
さらに効果的な実施例において、インテリジェントラベルは、化粧製品、及び／又は、とりわけ化粧製品を並べている製品棚に配置される。インテリジェントラベルが化粧製品に直接配置されている場合、ユーザは、メモリ要素及び化粧製品のシステムを用いて、化粧品の使用について特定の製品がユーザに適切であるかを直接設定することが可能である。インテリジェントラベルが製品棚に配置されている場合、ユーザは、その製品棚に配置されている化粧製品がユーザの化粧品のニーズに適合するかを設定することができる。この配置において、製品棚上の単一のインテリジェントラベルに、この製品棚上の全ての製品を割当てることが可能であるとき、インテリジェントラベルのそれぞれの製品の取り付けのための出費は効率的に節約される。
【００１７】
インテリジェントラベルは、メモリ要素の応答信号に応じて第２データをメモリ要素に送信する。この実施例において、ユーザがインテリジェントラベルの近くにメモリ要素を移動させることで、メモリ要素は、インテリジェントラベルの第２データをスキャンする。インテリジェントラベルとしてパッシブ型応答装置、具体的にはＲＦＩＤ応答装置を用いた場合、応答装置は、第２データをメモリ要素の無線領域からメモリ要素に送信するエネルギーを得る。応答装置が、読み取りユニットを通じて信号を受ける場合、応答装置は、記憶されているデータをこの応答信号の返信としてメモリ要素に送る。
【００１８】
さらに好ましい実施例において、方法は、さらに、化粧製品がユーザに適切な化粧製品として決定されるか否かについての情報、及び／又は、第１データと第２データが互いに少なくとも部分的に一致することの情報を表示するステップを含む。この好ましい実施例において、第１データと第２データとの比較の結果をユーザに通知する光学情報をユーザが受けることは望ましい。この方式において、ユーザは、化粧製品の化粧品プロフィールがユーザ用の化粧品プロフィールと少なくとも部分的に一致するかについての情報、そして、化粧製品の化粧品プロフィールがユーザに適切であるかの情報を直接受ける。この情報に基づいて、ユーザは化粧製品を選択するか否かを決定することが可能となる。
【００１９】
さらに、本発明は、ユーザに適切な化粧製品を決定するためのシステムであって、請求項９に記載のシステムに関連する。そのシステムは、本発明によるメモリ要素とインテリジェントラベルを有する。さらに、本発明は、請求項１０に記載のメモリ要素と請求項１１に記載のインテリジェントラベルに関連する。本発明は、本発明による少なくとも一つのインテリジェントラベルを有する化粧製品であって、請求項１２に記載の化粧製品にさらに関連する。
【００２０】
本発明は、実施例及び以下の図面の用いて、以下で説明されであろう。
【図面の簡単な説明】
【００２１】
【図１】図１は、本発明によるインテリジェントラベルの利用図を概略的に示す。
【図２】図２は、本発明によるメモリ要素の図を概略的に示す。
【図３】図３は、本発明による方法のフローチャートを概略的に示す。
【発明を実施するための形態】
【００２２】
図１は、本発明によるインテリジェントラベル１の使用についての２つの異なる実施例を示す。
【００２３】
第１実施例において、インテリジェントラベル１は、製品棚４に付加され、製品棚４に配置されている化粧製品２を識別するとともに、化粧製品２の化粧品プロフィールについての第２データを提供する。
【００２４】
第２の実施例において、インテリジェントラベル１は、化粧製品２に直接配置される。これら２つの実施例によると、インテリジェントラベル１は、情報を提供するパッシブ型ＲＦＩＤ応答装置である。その情報の例としては、“化粧製品２は、通常の髪質用のシャンプーである”、“化粧製品２は、乾燥肌用のリッチクリームである”、“化粧製品２は、華やかな赤い色の口紅である”などである。
【００２５】
図２は、本発明によるメモリ要素３の概略的な図である。図３に示すメモリ要素３は、チップカードである。他の実施例において、時計、電話、その他の装置が、本発明によるメモリ装置３を有してもよい。メモリ要素３のデータ領域５に記憶されているものは、ユーザの化粧品プロフィールを表す第１データである。例として、化粧品プロフィールは、メモリ要素３に割当てられているユーザが乾燥肌及び通常の髪質であるという事実、そして、黒色のマスカラがユーザに特に似合うという事実を定義する。ユーザの特徴である名前又は他の識別は、識別領域７に書き込まれる。
【００２６】
例であるが、メモリ要素が、インテリジェントラベル１の近辺に移動させられると、すぐに、メモリ要素３の読み取りユニット９は、応答信号をインテリジェントラベル１に送る。メモリ要素３とインテリジェントラベル１との通信が有効となる他の形態も、有効である。応答信号に応じて、読み取りユニット９は、インテリジェントラベル１の第２データを受ける。
【００２７】
メモリ要素３の領域８は、第１データと第２データをお互いに比較し、さらに、化粧製品２をメモリ要素３のユーザに適切な製品２として決定するか否かを可能とするよう構成されている。さらに、エネルギー供給要素、例えば、ソーラ領域などを領域８に配置して、メモリ要素３及びインテリジェントラベル１の両方にエネルギーを供給する。最後に、メモリ要素３のディスプレイ領域６において、ユーザに対して、化粧製品２がユーザに適切である否かを示す。言い換えると、本発明の方法による比較及び決定の結果をユーザに通知する。例えば、これは、化粧製品２がユーザの化粧品プロフィールと一致する場合、緑色光の形態で光信号手段によって行われる。さらに、プロフィールが一致しない場合、赤色光が用いられる。
【００２８】
図３は、本発明による方法の実施例を概略的に示す。ステップ１０において、ユーザの化粧品プロフィールを決定する。これの例としては、ユーザの体のデータを測定する測定装置手段、又は、質問表、具体的にはインターネットによる電子的な質問を書き込む手段によって行われる。ステップ１１において、ユーザの化粧品プロフィールを表す第１データが、メモリ要素３に記憶される。ステップ１２において、化粧製品２の化粧品プロフィールが決定される。ステップ１３において、化粧製品２の化粧品プロフィールを表す第２データがインテリジェントラベル１に記憶される。ステップ１０、１１、１２、１３は、任意の時系列で実行することが可能である。言い換えれば、第２データが記憶される前に第１データが決定される、及び／又は第２データが決定される前に第１データが記憶される、そして、それらの逆であるか否かは固定されない。
【００２９】
ステップ１４において、ユーザが、メモリ要素、例えば、チップカードを、化粧製品２のそばを通りすぎるよう動かすことで、インテリジェントラベル１とメモリ要素３との間の通信は、有効となる。インテリジェントラベル１は、メモリ要素３、具体的には読み取りユニット９の応答信号を受け、結果として、第２データをメモリ要素３の読み取りユニット９に送る。ステップ１５において、第１データと第２データは、お互いに比較、照合される。言い換えると、ユーザの化粧品プロフィールの特性及び詳細が、化粧製品２の適合性及び詳細と比較される。ステップ１６において、化粧製品２がユーザに適切であるか否かを決定するために、比較の結果を評価する。ステップ１７において、比較結果を用いて製品の推奨をユーザに表示する。化粧製品２がユーザに適切である場合、ユーザは、この製品を自由に選択できる。化粧製品２が、ユーザに適していないであろう場合、ユーザがメモリ要素３を他の化粧製品２の近くに移動させることで、本発明による方法のステップ、具体的にはステップ１４から１７は繰り返されてもよい。そして、ユーザの化粧品プロフィールを他の化粧製品２と比較し、場合によって、比較及び決定のプロセスにおける他の結果を得る。
【図１】
2010517608.tif 000003
【図２】
2010517608.tif 000004
【図３】
2010517608.tif 000005
【国際調査報告】
2010517608.tif 000006
2010517608.tif 000007
2010517608.tif 000008
2010517608.tif 000009